【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
解剖学的位置に係止されるよう構成されたアンカアセンブリであって、
拡張可能部分を形成するアンカ本体を有するアンカを備え、前記拡張可能部分は延在方向を形成しており、前記アンカ本体は、アイレットと、前記延在方向に沿ってアイレットから間隔を置かれた複数のループとを形成しており、該複数のループは、前記拡張可能部分を貫通しかつ実質的に前記延在方向に沿って互いから間隔を置かれた各々の複数の開口を形成しており、前記拡張可能部分が、前記延在方向から角度方向にずれた第２の方向に沿って第１の最大厚さを形成する第１の状態から、前記拡張可能部分が、前記第１の最大厚さよりも大きな、前記第２の方向に沿って第２の最大厚さを形成する拡張状態へ作動させられるように構成されており、
前記アンカはさらに、作動部材を有し、該作動部材は、前記拡張可能部分が前記第１の状態にあるときに前記アイレットに結合される結合位置と、前記延在方向に沿って前記結合位置から延びた第１及び第２の部分とを規定しており、前記作動部材は、前記拡張可能部分が前記第１の状態にあるときに前記第１及び第２の部分の両方が前記アイレットから前記複数の開口のうちの少なくとも２つのそれぞれを貫通するように構成されており、前記作動部材の前記第１及び第２の部分のうちの少なくとも一方は、作動力を受け、該作動力に応答して、前記拡張可能部分を、前記第１の状態から拡張状態へ作動させるように構成されていることを特徴とする、解剖学的位置に係止されるよう構成されたアンカアセンブリ。
【請求項２】
前記アンカ本体は、複数の開口を形成した、編まれた材料、編組された材料及び織られた材料のうちの少なくとも１つであるサブストレートを含む、請求項１記載のアンカアセンブリ。
【請求項３】
前記サブストレートが、アンカ本体ストランドを含む、請求項２記載のアンカアセンブリ。
【請求項４】
前記アンカ本体ストランドが、縫合糸のストランドを含む、請求項３記載のアンカアセンブリ。
【請求項５】
前記作動部材が前記拡張可能部分を前記第１の状態から拡張状態へ作動させるときに、前記作動部材は、前記複数の開口のうちの少なくとも２つの開口の同じものを通ってアイレットを引っ張る、請求項３記載のアンカアセンブリ。
【請求項６】
前記拡張可能部分が第１の状態から拡張状態へ作動させられるときに前記拡張可能な部分は延在方向に沿って潰れる、請求項１記載のアンカアセンブリ。
【請求項７】
前記作動部材は、作動ストランドを含む、請求項１記載のアンカアセンブリ。
【請求項８】
前記拡張可能部分が前記第１の状態にあるときに前記複数のループは実質的に前記延在方向に沿って前記アイレットから間隔を置かれている、請求項１記載のアンカアセンブリ。
【請求項９】
前記アイレットは、前記アンカ本体の一方の端部における結び目によって形成されている、請求項８記載のアンカアセンブリ。
【請求項１０】
前記アンカ本体は、前記アイレットを形成するためにそれ自体を通って縫われている、請求項８記載のアンカアセンブリ。
【請求項１１】
前記アンカ本体は、前記アイレットを形成するためにそれ自体に溶接されている、請求項８記載のアンカアセンブリ。
【請求項１２】
前記作動部材は、第１及び第２の端部を形成した作動ストランドであり、前記結合位置は、前記第１及び第２の端部の間に配置された折り返し部であり、該折り返し部は前記アイレットを通って延びている、請求項８記載のアンカアセンブリ。
【請求項１３】
前記第１及び第２の端部のそれぞれは、前記延在方向に沿って前記複数の開口を１つおきに交互に通って延びている、請求項１２記載のアンカアセンブリ。
【請求項１４】
前記作動力は、前記作動ストランドの前記第１及び第２の端部の少なくとも一方に加えられた引張力を含み、該引張力により、前記アイレットは、前記拡張可能部分を介して前記作動ストランドによって形成された経路に沿って前記アンカ本体を通って引っ張られ、かつ前記アンカ本体から延出する、請求項１２記載のアンカアセンブリ。
【請求項１５】
前記アイレットは、前記アンカ本体を第２のアンカ本体に接続する別のストランドに取り付けられるように構成されている、請求項１４記載のアンカアセンブリ。
【請求項１６】
前記拡張可能部分は、互いに反対側の近位端部及び遠位端部を規定しており、前記延在方向は、前記近位端部と前記遠位端部との間に線形に延びている、請求項１記載のアンカアセンブリ。
【請求項１７】
前記拡張可能部分は、中心軸線に沿って延在している、請求項１６記載のアンカアセンブリ。
【請求項１８】
前記中心軸線の少なくとも一部は、前記延在方向に対してずらされている、請求項１７記載のアンカアセンブリ。
【請求項１９】
前記アンカは、第１のアンカであり、該第１のアンカの作動部材は、第１の作動ストランドであり、前記第１のアンカのアンカ本体は、第１のアンカ本体であり、前記アンカアセンブリは、さらに、第２のアンカを有し、該第２のアンカは、（１）実質的に第２の延在方向に沿って延びた第２のアンカ本体であって、前記第２のアンカは、前記第２のアンカ本体を通る第２の複数の開口を形成しており、該第２の複数の開口は前記第２の延在方向に沿って間隔をおいて配置されている、第２のアンカ本体と、（２）前記第２の複数の開口のうちの少なくとも２つを通って織られた第２の作動ストランドであって、前記第２のアンカをそれぞれの第１の状態からそれぞれの拡張状態へ拡張させるために、実質的に前記第２の延在方向に沿った方向に沿って前記第２の作動ストランドに加えられる作動力は、前記第２のアンカ本体を前記第２の延在方向に沿って潰れさせかつ前記第２の延在方向に対して角度方向にずれた方向に沿って拡張させる、第２のストランドと、を備える、請求項１記載のアンカアセンブリ。
【請求項２０】
前記第１の作動ストランドは、前記第２の作動ストランドに取り付けられている、請求項１９記載のアンカアセンブリ。
【請求項２１】
前記第１の作動ストランドは、前記第２の作動ストランドと一体である、請求項２０記載のアンカアセンブリ。
【請求項２２】
前記第１の作動ストランドは、前記第２の作動ストランドとは別個でありかつ該第２の作動ストランドに取り付けられている、請求項２０記載のアンカアセンブリ。
【請求項２３】
さらに、前記第１のアンカを前記第２のアンカに取り付けるコネクタ部材を備える、請求項１９記載のアンカアセンブリ。
【請求項２４】
前記コネクタ部材は、前記第１及び第２の作動ストランドのうちの一方を前記第１及び第２の作動ストランドのうちの他方に対して前記コネクタ部材を通って並進させる摺動部材を形成している、請求項２３記載のアンカアセンブリ。
【請求項２５】
前記コネクタ部材は、前記第１及び第２の作動ストランドが前記第１及び第２の作動ストランドのうちの他方に対して前記コネクタ部材を通って並進することを防止するロッキング部材を形成している、請求項２３記載のアンカアセンブリ。
【請求項２６】
前記コネクタ部材は、前記第１及び第２の作動ストランドによって形成されている、請求項２３記載のアンカアセンブリ。
【請求項２７】
さらに、前記第１及び第２のアンカの間に取り付けられたコネクタストランドをさらに備える、請求項１９記載のアンカアセンブリ。
【請求項２８】
前記コネクタストランドは、第１の部分と、該第１の部分から間隔を置いて配置された第２の部分とを形成しており、前記アンカアセンブリは、前記アンカのうちの少なくとも一方に力を加え、該力が前記アンカを他方のアンカに向かって付勢するように、前記第１及び第２の部分の一方を前記第１及び第２の部分の他方に対して並進させる摺動部材を有する、請求項２７記載のアンカアセンブリ。
【請求項２９】
前記第１のアンカ本体の前記アイレットは第１のアイレットであり、前記第２のアンカ本体は、第２のアイレットと、前記第２の延在方向に沿って前記第２のアイレットから間隔を置かれた第２の複数のループとを備え、該第２の複数のループは、それぞれの第２の複数の開口を形成しており、前記第１及び第２の作動ストランドは、それぞれの第１及び第２のアンカ本体を通って織られかつ前記第１及び第２のアイレットに取り付けられている、請求項２３記載のアンカアセンブリ。
【請求項３０】
前記第１の作動ストランドは、前記第２の作動ストランドと一体である、請求項２９記載のアンカアセンブリ。
【請求項３１】
前記第１の作動ストランドは、第１の作動部分と、それぞれが前記第１のアンカ本体から延びた第１の取付け部分とを備え、前記第２の作動ストランドは、第２の作動部分と、各々のアンカの各々の拡張可能部分が各々の拡張状態にあるときにそれぞれが前記第２のアンカ本体から延びた第２の取付け部分とを有する、請求項２９記載のアンカアセンブリ。
【請求項３２】
前記第１の取付け部分が、前記第２の取付け部分と一体である、請求項３１記載のアンカアセンブリ。
【請求項３３】
前記コネクタ部材は、前記第１の作動部分と前記第２の作動部分とを取り付けている、請求項３１記載のアンカアセンブリ。
【請求項３４】
前記コネクタ部材は、前記第１の作動部分と前記第２の作動部分とによって形成されている、請求項３３記載のアンカアセンブリ。
【請求項３５】
前記コネクタ部材は、前記第１の作動部分と前記第２の作動部分とによって形成された結び目を含む、請求項３４記載のアンカアセンブリ。
【請求項３６】
前記結び目を、前記第１及び第２の作動部分のうちの少なくとも一方が前記第１及び第２の作動部分のうちの他方に対して前記結び目を通って並進可能であるアンロック状態と、前記第１及び第２の作動部分が前記結び目を通って互いに並進不能に固定されているロック状態との間で作動させることができる、請求項３５記載のアンカアセンブリ。
【請求項３７】
前記第１及び第２の作動部分はそれぞれ、各々の第１及び第２のアンカを各々の第１の状態から拡張状態へ作動させる各々の作動力を受けるよう構成されている、請求項３３記載のアンカアセンブリ。